(57)【特許請求の範囲】
【請求項１】
ヒンジにより長辺方向略中央で折り畳み可能なサインガイドにおいて、前記サインガイドは、短辺方向の長さが多段階に可変でき、且つ、前記ヒンジを挟んで左右に１つずつ設けられた前記サインガイドの長辺方向にスライド可能な２つのラッチカーソルを有し、前記２つのラッチカーソルと前記サインガイドの長辺によって規定されるサインエリアを有することを特徴とするサインガイド。
【請求項２】
前記ラッチカーソルの少なくとも一方であって、前記サインエリアに隣接した位置に捺印用の印鑑ガイド穴を形成したことを特徴とする前記請求項１に記載のサインガイド。
【発明の詳細な説明】
【０００１】
【発明の属する技術分野】
本発明は、弱視者、視覚障害者、高齢者が書類等に署名、捺印する際に使用するサインガイドに関するものである。
【０００２】
【従来の技術】
弱視者、視覚障害者、高齢者等にとって、契約書等の各種書類に正確に署名捺印することは、困難なことである。特に書類の決められた欄に、はみ出すことなく正確に署名することは、きわめて困難なことである。そこで、署名すべき欄の大きさの枠状のサインガイドをあてて、その枠の内側に署名することが行われていた。
【０００３】
【発明が解決しようとする課題】
しかしながら、書類ごとに署名すべき欄の大きさがことなるため、さまざまな大きさの枠のサインガイドを用意する必要があり、不便であった。また、サインガイドが嵩張るため、持ち運びに支障を来していた。
【０００４】
そこで、本発明の目的は、前述したような従来技術の問題点を解消し、さまざまな大きさの欄に対応でき、また、持ち運びにも便利なサインガイドを提供することにある。
【０００５】
【課題を解決するための手段】
前記目的を達成するために、本請求項１に係る発明は、ヒンジにより長辺方向略中央で折り畳み可能なサインガイドにおいて、前記サインガイドは、短辺方向の長さが多段階に可変でき、且つ、前記ヒンジを挟んで左右に１つずつ、前記サインガイドの長辺方向にスライド可能な２つのラッチカーソルを有し、前記２つのラッチカーソルと前記サインガイドの長辺によって規定されるサインエリアを有することを特徴としたものである。本発明におけるラッチカーソルとは、計算尺のカーソルのようにサインガイドの長手方向にスライド可能な部材のことを意味しており、その形状等は、特に限定されるものではない。
【０００６】
また、本請求項２に係る発明は、請求項１に係る発明の構成に加えて、前記ラッチカーソルの少なくとも一方であって、前記サインエリアに隣接した位置に捺印用の印鑑ガイド穴を形成したことを特徴としたものである。
【０００７】
【作用】
本発明のサインガイドは、上述したような構成を備えていることによって、以下のような本発明に特有の作用を奏する。
【０００８】
まず、本請求項１に係るサインガイドによれば、ヒンジによりサインガイド中央で折り畳むことが可能になる。また、サインガイドにより形成されるサインエリアの短辺方向の長さと、長辺方向の長さを可変できるため、さまざまな大きさの署名欄に対応することができ、視覚障害者や視力の弱い高齢者であっても、署名すべき欄の大きさを正確に認識することができる。
【０００９】
また、本請求項２に係るサインガイドによれば、請求項１に係るサインガイドが奏する作用に加えて、署名した後に署名の横の適切な位置に自ら捺印をすることを介助する。
【００１０】
【発明の実施の形態】
本発明のサインガイドをその好適な実施の形態として示した実施例に基づき図１及び図２を参照して説明する。図１は、本発明のサインガイド１０の全体を示す斜視図であり、図２は、サインガイド１０を開いた状態での平面図を示している。
【００１１】
図２に示すように、本発明の一実施例であるサインガイド１０は、合成樹脂等で長方形の枠形状に形成されており、ヒンジ１１により折り畳み可能になっている。そして、前記枠の両端を短辺方向に押す（クリックする）たびに、短辺方向の長さが３段階に、最短（７ｍｍ）、中間（１０ｍｍ）、最長（１３ｍｍ）、最短（７ｍｍ）、・・・と循環的に変わるようになっている。これにより、サインエリアＡの短辺方向の長さをクリック操作だけで３段階に可変することが可能となる。
【００１２】
一方、前記サインガイド１０には、前記ヒンジ１１を挟んで２つのラッチカーソル１２、１２が長尺方向にスライド可能に設けられており、これにより、サインエリアＡの長辺方向の長さを可変可能に規制している。
【００１３】
さらに、前記ラッチカーソル１２の一方には、サインエリアＡに隣接した位置に印鑑で捺印をする際に印鑑の押捺位置を規制するための印鑑ガイド穴１３が設けられている。また、このサインガイド１０には、枠表面の４つの角部近傍に長さ可変のための押す（クリック）方向を示す矢印１７が刻印されると共に、枠側面の対角に位置する２つの角部近傍に左右方向を示す窪み１８が形成され、これにより、視覚障害者や視力の弱い高齢者らの使用時における便宜を図っている。
【００１４】
次にサインガイド１０の短辺方向の長さを３段階に可変するための機構について、図３を用いて詳述する。サインガイド１０の長辺方向の両端部の内部には、図３に示したように、断面長方形をした角押バネ１４と両端部が鉤状に曲がった棒バネ１５と前記棒バネの一つの鉤部１５ａがスライドし、当該鉤部を３カ所で係止するＦ字形状係止部材１６が内蔵されている。そして、サインガイド１０を短辺方向に押すたびに前記棒バネ１５の鉤部１５ａがＦ字形状係止部材１６の３カ所の係止箇所１６ａ、１６ｂ、１６ｃに順次係合して、サインガイド１０の短辺方向の長さを、最長、中間、最短、最長、・・・と循環的に３段階に変更せしめる。
【００１５】
前記角押バネ１４は、断面が長方形であり、長方形の短辺がサインガイド１０の厚さ方向となるように、サインガイド１０に内蔵されている。したがって、断面が円形の通常の押バネを用いるのに比べて、薄くても十分に付勢することができ、サインガイドの厚さを薄くすることができる。
【００１６】
また、本機構によれば、角押バネ、棒バネ、Ｆ字形状係止部材のわずか３点の部品により、３段階の長さの変更が可能になり、部品点数の削減及び組み立て工程の簡略化に寄与する。しかも、サイドガイド１０の両端を押すだけで長さを変えることができるので、視覚障害者や高齢者であっても簡単に、しかも確実に操作することができる。さらに、Ｆ字形状係止部材の形状を変更することにより、可変の段階をさらに増やしたり、可変幅を変更することも可能である。
【００１７】
【発明の効果】
本発明のサインガイドは、上述したような構成を備えていることによって、以下のような本発明に特有の優れた効果を奏する。
【００１８】
本発明のサインガイドによれば、ヒンジによりサインガイド中央で折り畳むことが可能になり、携帯に適した小型のサインガイドが得られる。また、サインガイドにより形成されるサインエリアの短辺方向の長さと、長辺方向の長さを、きわめて簡単な操作で可変できるため、１つのサインガイドでさまざまな書面に対応できる。しかも、視覚障害者や視力の弱い高齢者であっても、サインすべきエリアを正確に認識することができ、自分で署名捺印することができるので、視覚障害者や高齢者の社会進出や自立にも貢献する。
【図面の簡単な説明】
【図１】  本発明のサインガイドの全体を示す斜視図。
【図２】  本発明のサインガイドの平面図。
【図３】  本発明のサインガイドの長さ切り替え機構を説明する図。
【符号の説明】
１０  ・・・  サインガイド本体
１１  ・・・  ヒンジ
１２  ・・・  ラッチカーソル
１３  ・・・  印鑑ガイド穴
１４  ・・・  角押バネ
１５  ・・・  棒状バネ
１６  ・・・  Ｆ字形状係止部材
１７  ・・・  矢印の刻印
１８  ・・・  窪み
Ａ    ・・・  サインエリア
【図１】
0003837330.tif 000002
【図２】
0003837330.tif 000003
【図３】
0003837330.tif 000004